(57)【要約】      （修正有）【課題】複数の玩具を組み合せて遊ぶことができ、遊びのバリエーションを大幅に広げることができる接続型玩具を提供する。【解決手段】方形薄板状の玩具本体と、前記玩具本体の内部に前後にスライド可能に配置されたリンク部材２４，２５と、を備え、前記リンク部材２４，２５の端部には外部に露出した接続部２４ｃ，２４ｄ，２５ｃ，２５ｄが形成されており、前記接続型玩具は、前記接続部２４ｃ，２４ｄ，２５ｃ，２５ｄを介して他の玩具と並列に接続可能であるとともに、前記リンク部材２４，２５がスライドしたときに前記接続部２４ｃ，２４ｄ，２５ｃ，２５ｄを介して前記他の玩具との間で動力を伝達可能とした。【選択図】図６
0003182532.tif 000002
【実用新案登録請求の範囲】
【請求項１】
複数の玩具を接続して遊ぶことのできる接続型玩具であって、
方形薄板状の玩具本体と、
前記玩具本体の内部に前後にスライド可能に配置されたリンク部材と、
を備え、
前記リンク部材の端部には外部に露出した接続部が形成されており、
前記接続型玩具は、前記接続部を介して他の玩具と並列に接続可能であるとともに、前記リンク部材がスライドしたときに前記接続部を介して前記他の玩具との間で動力を伝達可能であることを特徴とする、接続型玩具。
【請求項２】
前記接続部として、前記玩具本体の前部に設けられた第１の接続部と、前記玩具本体の後部に設けられた第２の接続部と、を備え、
前記第１の接続部と前記第２の接続部とが互いに係合可能な形状で形成されていることを特徴とする、請求項１記載の接続型玩具。
【請求項３】
前記接続部として、前記玩具本体の一側部に設けられた第３の接続部と、前記玩具本体の他側部に設けられた第４の接続部と、を備え、
前記第３の接続部と前記第４の接続部とが互いに係合可能な形状で形成されていることを特徴とする、請求項２記載の接続型玩具。
【請求項４】
前記リンク部材をスライドさせるための操作部を備えたことを特徴とする、請求項１〜３のいずれかに記載の接続型玩具。
【請求項５】
前記リンク部材をスライドさせるためのゼンマイ機構を備えたことを特徴とする、請求項１〜３のいずれかに記載の接続型玩具。
【請求項６】
前記玩具本体の上面に走行玩具を走行させるための走路を形成するとともに、この走路の突き当たりにスイッチ部材を設け、このスイッチ部材が押されたときに前記ゼンマイ機構が作動するようにしたことを特徴とする、請求項５記載の接続型玩具。
【請求項７】
前記リンク部材を複数備えたことを特徴とする、請求項１〜６のいずれかに記載の接続型玩具。
【考案の詳細な説明】
【技術分野】
【０００１】
この考案は、複数の玩具を接続して遊ぶことのできる接続型玩具に関するものである。
【背景技術】
【０００２】
本出願人は、従来の変形玩具にはない新規な印象を与えることができる変形玩具セットとして、特許文献１に記載の変形玩具セットを提案した。
【０００３】
この特許文献１に記載の変形玩具セットは、変形玩具と、前記変形玩具を載置するための載置盤と、を備えた変形玩具セットであって、前記変形玩具は、付勢部材によって付勢されて立設する立ち上がり部と、前記立ち上がり部の上部で支持される天板と、を備え、前記変形玩具は、外力が加えられることにより前記付勢部材の付勢力に抗って押し潰され、前記立ち上がり部と前記天板とが略面一となる変形状態をとりうるように形成され、前記天板の下面側には、前記載置盤の上面に形成された係止部に係止可能な被係止部が設けられており、前記係止部に前記被係止部を係止させることで、前記変形玩具が前記変形状態のままで前記載置盤に固定されるようにしている。
【先行技術文献】
【特許文献】
【０００４】
【特許文献１】特開２０１２−１８３２３５号公報
【考案の概要】
【考案が解決しようとする課題】
【０００５】
本発明は、上記した特許文献１に記載の変形玩具セットを更に推し進めたものであり、複数の玩具を組み合せて遊ぶことができ、遊びのバリエーションを大幅に広げることができる接続型玩具を提供することを課題とする。
【課題を解決するための手段】
【０００６】
本考案は、上記した課題を解決するためになされたものであり、以下を特徴とする。
【０００７】
（請求項１）
請求項１に記載の考案は、以下の点を特徴とする。
すなわち、請求項１に記載の接続型玩具は、複数の玩具を接続して遊ぶことのできる接続型玩具であって、方形薄板状の玩具本体と、前記玩具本体の内部に前後にスライド可能に配置されたリンク部材と、を備え、前記リンク部材の端部には外部に露出した接続部が形成されており、前記接続型玩具は、前記接続部を介して他の玩具と並列に接続可能であるとともに、前記リンク部材がスライドしたときに前記接続部を介して前記他の玩具との間で動力を伝達可能であることを特徴とする。
【０００８】
（請求項２）
請求項２に記載の考案は、上記した請求項１記載の考案の特徴点に加え、以下の点を特徴とする。
すなわち、前記接続部として、前記玩具本体の前部に設けられた第１の接続部と、前記玩具本体の後部に設けられた第２の接続部と、を備え、前記第１の接続部と前記第２の接続部とが互いに係合可能な形状で形成されていることを特徴とする。
【０００９】
（請求項３）
請求項３に記載の考案は、上記した請求項２記載の考案の特徴点に加え、以下の点を特徴とする。
すなわち、前記接続部として、前記玩具本体の一側部に設けられた第３の接続部と、前記玩具本体の他側部に設けられた第４の接続部と、を備え、前記第３の接続部と前記第４の接続部とが互いに係合可能な形状で形成されていることを特徴とする。
【００１０】
（請求項４）
請求項４に記載の考案は、上記した請求項１〜３のいずれかに記載の考案の特徴点に加え、以下の点を特徴とする。
すなわち、前記リンク部材をスライドさせるための操作部を備えたことを特徴とする。
【００１１】
（請求項５）
請求項５に記載の考案は、上記した請求項１〜３のいずれかに記載の考案の特徴点に加え、以下の点を特徴とする。
すなわち、前記リンク部材をスライドさせるためのゼンマイ機構を備えたことを特徴とする。
【００１２】
（請求項６）
請求項６に記載の考案は、上記した請求項５記載の考案の特徴点に加え、以下の点を特徴とする。
すなわち、前記玩具本体の上面に走行玩具を走行させるための走路を形成するとともに、この走路の突き当たりにスイッチ部材を設け、このスイッチ部材が押されたときに前記ゼンマイ機構が作動するようにしたことを特徴とする。
【００１３】
（請求項７）
請求項７に記載の考案は、上記した請求項１〜６のいずれかに記載の考案の特徴点に加え、以下の点を特徴とする。
すなわち、前記リンク部材を複数備えたことを特徴とする。
【考案の効果】
【００１４】
請求項１に記載の考案は上記の通りであり、接続型玩具は、接続部を介して他の玩具と並列に接続可能であるとともに、リンク部材がスライドしたときに接続部を介して前記他の玩具との間で動力を伝達可能であるので、方形薄板状の玩具本体を縦や横に並列に並べて接続できるとともに、接続用のリンク部材が動力伝達も兼ねているため、リンク部材を使用して複数の接続型玩具を連動させることもできる。このように、複数の接続型玩具を組み合せて遊ぶことができるので、遊びのバリエーションを大幅に広げることができる。
【００１５】
なお、リンク部材によって実現される動作を接続型玩具の種類によって異なるように設定してもよい。このように複数の動作を行う接続型玩具を組み合わせれば、接続型玩具の組み合わせ方によって全体の挙動を変えることができる。しかも、このように組み合わせた接続型玩具が連動するため、更に興趣に富んだ玩具を提供することができる。
【００１６】
また、請求項２に記載の考案は上記の通りであり、前記接続部として、前記玩具本体の前部に設けられた第１の接続部と、前記玩具本体の後部に設けられた第２の接続部と、を備え、前記第１の接続部と前記第２の接続部とが互いに係合可能な形状で形成されている。このため、接続型玩具を前後方向に接続することができる。
【００１７】
また、請求項３に記載の考案は上記の通りであり、前記接続部として、前記玩具本体の一側部に設けられた第３の接続部と、前記玩具本体の他側部に設けられた第４の接続部と、を備え、前記第３の接続部と前記第４の接続部とが互いに係合可能な形状で形成されている。このため、接続型玩具を左右方向に接続することができる。
【００１８】
また、請求項４に記載の考案は上記の通りであり、前記リンク部材をスライドさせるための操作部を備えている。このため、複数の接続型玩具を接続した場合において、任意の接続型玩具の操作部を操作すれば、これに連動してすべての接続型玩具のリンク部材がスライドし、すべての接続型玩具を作動させることができるので、使用者に新規な印象を与えることができる。
【００１９】
また、請求項５に記載の考案は上記の通りであり、前記リンク部材をスライドさせるためのゼンマイ機構を備えている。このため、複数の接続型玩具を接続した場合において、ゼンマイ機構によるリンク部材のスライドをトリガとして、すべての接続型玩具のリンク部材をスライドさせ、すべての接続型玩具を作動させることができるので、使用者に新規な印象を与えることができる。
【００２０】
また、請求項６に記載の考案は上記の通りであり、前記玩具本体の上面に走行玩具を走行させるための走路を形成するとともに、この走路の突き当たりにスイッチ部材を設け、このスイッチ部材が押されたときに前記ゼンマイ機構が作動するようにした。このため、接続型玩具を直接的に接続せずに離して配置した場合でも、走行玩具を介して動力の伝達を行うことができる。また、走行玩具が衝突したときの力ではリンク部材を確実にスライドできないことも考えられるが、ゼンマイ機構を使用しているため、確実にリンク部材をスライドさせることができる。
【００２１】
また、請求項７に記載の考案は上記の通りであり、前記リンク部材を複数備えているので、例えば、１つのリンク部材を玩具変形に使用し、他のリンク部材を走行玩具の発車に使用するなど、玩具の仕掛けを多様化することができ、遊びの幅を広げることができる。
【図面の簡単な説明】
【００２２】
【図１】接続型玩具（発車台タイプ）に走行玩具を取り付けた図である。
【図２】接続型玩具（発車台タイプ）の上で走行玩具を変形させた図である。
【図３】接続型玩具（発車台タイプ）の斜視図である。
【図４】接続型玩具（発車台タイプ）の分解斜視図である。
【図５】接続型玩具（発車台タイプ）の内部機構を説明する図である。
【図６】前後に接続した接続型玩具（発車台タイプ）のリンク部材の状態を示す図である。
【図７】左右に接続した接続型玩具（発車台タイプ）のリンク部材の状態を示す図である。
【図８】前後左右に接続した接続型玩具（発車台タイプ）の状態を示す図である。
【図９】前後左右に接続した接続型玩具（発車台タイプ）に走行玩具を取り付けた図である。
【図１０】前後左右に接続した接続型玩具（発車台タイプ）の上で走行玩具を変形させた図である。
【図１１】接続型玩具（発車台タイプ）と接続型玩具（ポップアップタイプ）とを組み合わせた例を示す図であって、変形前の状態を示す図である。
【図１２】接続型玩具（発車台タイプ）と接続型玩具（ポップアップタイプ）とを組み合わせた例を示す図であって、変形後の状態を示す図である。
【図１３】接続型玩具（回転台タイプ）の斜視図である。
【図１４】接続型玩具（回転台タイプ）の分解斜視図である。
【図１５】接続型玩具（回転台タイプ）の使用例を示す図であって、変形前の状態を示す図である。
【図１６】接続型玩具（回転台タイプ）の使用例を示す図であって、変形後の状態を示す図である。
【考案を実施するための形態】
【００２３】
本考案の実施形態について、図を参照しつつ説明する。なお、本実施形態においては、発車台タイプの接続型玩具２０と、ポップアップタイプの接続型玩具４０と、回転台タイプの接続型玩具５０と、の３種類の接続型玩具を例に挙げて説明する。
【００２４】
発車台タイプの接続型玩具２０は、図１に示すように、変形可能な走行玩具１０を扁平に変形させた状態で装着できるものである。接続型玩具２０に走行玩具１０を装着すると、走行玩具１０が接続型玩具２０の外形内に収まるようになっている。
【００２５】
なお、走行玩具１０は、特許文献１に記載の変形玩具セットと同様の機構で形成されており、複数の板部材１１が立ち上がることで図２に示すような自動車の形態をとりうるものである。この走行玩具１０は、外力が加えられることにより付勢部材（図示せず）の付勢力に抗って押し潰され、複数の板部材１１が略面一となる扁平状態をとりうるように形成されている。そして、この走行玩具１０の天板部１２の下面側には、接続型玩具２０の上面に形成された係合突起２５ｂ（図３参照）に係止可能な被係止部（図示せず）が設けられており、この被係止部を係合突起２５ｂに係止させることで、走行玩具１０が扁平状態のままで接続型玩具２０に固定されるようになっている。
【００２６】
なお、後述するが、係合突起２５ｂは後方に移動可能となっており、係合突起２５ｂが後方に移動すると被係止部と係合突起２５ｂとの係合が解除され、係合が解除されると走行玩具１０内部に設けられた付勢部材の付勢力によって走行玩具１０が自動車の形態に起立変形するように形成されている。
【００２７】
また、この走行玩具１０は、車体に回転可能に軸支された車輪１３を備えており、自動車の形態に立ち上げられた状態においては、押動されることで前後に走行するように形成されている。
【００２８】
発車台タイプの接続型玩具２０の上面には、車玩具取付部２０ａを装着するための車玩具取付部２０ａが凹設されている。上記した係合突起２５ｂは、この車玩具取付部２０ａにおいて上方に突出している。
【００２９】
接続型玩具２０は、押下操作可能な発車操作部２０ｂと変形操作部２０ｃを備えている。車玩具取付部２０ａに装着された走行玩具１０は、変形操作部２０ｃを押下操作することで起立変形し、発車操作部２０ｂを押下操作することで前方へ押し出されて発車されるようになっている。
【００３０】
具体的には、車玩具取付部２０ａに走行玩具１０を装着した状態（図１参照）で変形操作部２０ｃを押下すると、係合突起２５ｂによる被係止部の係止が解除され、走行玩具１０内に設けられた付勢部材の付勢力により走行玩具１０が自動車の形態に立ち上がる（図２参照）。そして、走行玩具１０が自動車の形態に立ち上がった状態で発車操作部２０ｂを押下すると、押出用バネ３１の付勢力により押出部材３０が前方向に摺動し（詳細は後述）、押出部材３０によって走行玩具１０が前方に押し出されて走行するように形成されている。
【００３１】
この発車台タイプの接続型玩具２０は以下の部材で構成されている。すなわち、図４に示すように、方形薄板状の玩具本体２１を形成する上ケース２２及び下ケース２３と、玩具本体２１の内部に前後にスライド可能に配置される複数のリンク部材（発車リンク２４及び変形リンク２５）と、発車リンク２４を付勢する発射リンク用バネ２６と、変形リンク２５を付勢する変形リンク用バネ２７と、発車リンク２４をスライドさせるための操作部のスイッチとなる発車操作部材３４と、変形リンク２５をスライドさせるためのスイッチとなる変形操作部材３５と、走行玩具１０を後方から押し出すための押出部材３０と、押出部材３０が取り付けられる発車用スライド板２９と、発車用スライド板２９を付勢する押出用バネ３１と、玩具本体２１の内部で部材の摺動をガイドするガイド板２８と、発車用スライド板２９と係合して押出用バネ３１を張設状態とするためのスライド板係止フック３２と、スライド板係止フック３２を付勢するフック用バネ３３と、を備えている。
【００３２】
上ケース２２及び下ケース２３は、上下に接合されることで玩具本体２１を形成するものである。上ケース２２の上面には、発車用スライド板２９の押出部材取付部２９ｂ（後述）を貫通させるスリット２２ａと、係合突起２５ｂを突出させる孔２２ｂと、発車操作部材３４を回動可能に取り付けて発車操作部２０ｂを構成するための発車操作部材配置部２２ｃと、変形操作部材３５を回動可能に取り付けて変形操作部２０ｃを構成するための変形操作部材配置部２２ｄと、が設けられている。
【００３３】
なお、発車操作部材配置部２２ｃに取り付けられる発車操作部材３４は、図４に示すように、左右に回動軸３４ａを備えており、この回動軸３４ａが発車操作部材配置部２２ｃの両側部で支持されることで、発車操作部材配置部２２ｃに回動可能に取り付けられる。
【００３４】
また、変形操作部材配置部２２ｄに取り付けられる変形操作部材３５も、左右に回動軸３５ａを備えており、この回動軸３５ａが変形操作部材配置部２２ｄの両側部で支持されることで、変形操作部材配置部２２ｄに回動可能に取り付けられる。
【００３５】
発車リンク２４は、走行玩具１０の発車に使用される部材であり、玩具本体２１の内部において前後にスライド可能に配置されている。この発車リンク２４は、発射リンク用バネ２６によって前方向に付勢されている。言い換えると、この発車リンク２４は、発射リンク用バネ２６の付勢力に抗して、一定の距離をスライドさせることができるように形成されている。
【００３６】
この発車リンク２４は、後端付近に上方に突出した傾斜突起２４ａを備えている。この傾斜突起２４ａは、発車操作部材配置部２２ｃの内部に入り込むように配置され、発車操作部材３４が押下操作されたときに、発車操作部材３４の下面に形成された突起３４ｂに押し出されるようになっている。詳しくは、突起３４ｂとの接触面が傾斜しているため、発車操作部材３４が押下されたときの力が水平方向に変換され、発車操作部材３４が押下されると発車リンク２４は前方にスライドするようになっている。なお、発車操作部材３４を押下していた力がなくなると、発射リンク用バネ２６の付勢力によって発車リンク２４は後方にスライドする。
【００３７】
また、この発車リンク２４の側面には、フック押圧部２４ｂが突出形成されている。このフック押圧部２４ｂは、発車リンク２４が前方にスライドしたときにスライド板係止フック３２に接触してスライド板係止フック３２を揺動させるためのものである。
【００３８】
この発車リンク２４は、他の接続型玩具と並列に接続するための接続部を備えている。本実施形態においては、玩具本体２１の前部において外部に露出した第１の接続部２４ｃと、玩具本体２１の後部において外部に露出した第２の接続部２４ｄと、玩具本体２１の一側部において外部に露出した第３の接続部２４ｅと、玩具本体２１の他側部において外部に露出した第４の接続部２４ｆと、の４つの接続部を備えている。
【００３９】
このうち、第１の接続部２４ｃと第２の接続部２４ｄとは互いに係合可能な形状で形成されている。具体的には、第１の接続部２４ｃは四角孔形状で玩具本体２１の前部のやや右寄りに形成されており、第２の接続部２４ｄは第１の接続部２４ｃの四角孔に嵌合する突起形状で玩具本体２１の後部のやや右寄りに形成されている。このため、第１の接続部２４ｃと第２の接続部２４ｄとを係合させることで、図６に示すように、接続型玩具を前後に並列に接続することができるように形成されている。
【００４０】
また、第３の接続部２４ｅと第４の接続部２４ｆとは互いに係合可能な形状で形成されている。具体的には、第３の接続部２４ｅは四角孔形状で玩具本体２１の一側のやや前寄りに形成されており、第４の接続部２４ｆは第３の接続部２４ｅの四角孔に嵌合する突起形状で玩具本体２１の他側のやや前寄りに形成されている。このため、第３の接続部２４ｅと第４の接続部２４ｆとを係合させることで、図７に示すように、接続型玩具を左右に並列に接続することができるように形成されている。
【００４１】
変形リンク２５は、走行玩具１０の変形に使用される部材であり、玩具本体２１の内部において前後にスライド可能に配置されている。この変形リンク２５は、変形リンク用バネ２７によって前方向に付勢されている。言い換えると、この変形リンク２５は、変形リンク用バネ２７の付勢力に抗して、一定の距離をスライドさせることができるように形成されている。
【００４２】
この変形リンク２５は、後端付近に上方に突出した傾斜突起２５ａを備えている。この傾斜突起２５ａは、変形操作部材配置部２２ｄの内部に入り込むように配置され、変形操作部材３５が押下操作されたときに、変形操作部材３５の下面に形成された突起３５ｂに押し出されるようになっている。詳しくは、突起３５ｂとの接触面が傾斜しているため、変形操作部材３５が押下されたときの力が水平方向に変換され、変形操作部材３５が押下されると変形リンク２５は前方にスライドするようになっている。なお、変形操作部材３５を押下していた力がなくなると、変形リンク用バネ２７の付勢力によって変形リンク２５は後方にスライドする。
【００４３】
また、この変形リンク２５の上面には、係合突起２５ｂが突出形成されている。この係合突起２５ｂは、上ケース２２の孔２２ｂから上方に突出しており、走行玩具１０の被係止部と係合可能となっている。変形リンク用バネ２７の付勢力によって変形リンク２５が後方に付勢された状態では、係合突起２５ｂは走行玩具１０の被係止部と係合する位置にある。一方、変形リンク２５が前方にスライドすると、係合突起２５ｂは走行玩具１０の被係止部と係合しない位置に移動するようになっている。すなわち、変形リンク２５をスライドさせることで、係合突起２５ｂと被係止部との係合が解除され、走行玩具１０が起立変形するように形成されている。
【００４４】
この変形リンク２５も、他の接続型玩具と並列に接続するための接続部を備えている。本実施形態においては、玩具本体２１の前部において外部に露出した第１の接続部２５ｃと、玩具本体２１の後部において外部に露出した第２の接続部２５ｄと、玩具本体２１の一側部において外部に露出した第３の接続部２５ｅと、玩具本体２１の他側部において外部に露出した第４の接続部２５ｆと、の４つの接続部を備えている。
【００４５】
このうち、第１の接続部２５ｃと第２の接続部２５ｄとは互いに係合可能な形状で形成されている。具体的には、第１の接続部２５ｃは四角孔形状で玩具本体２１の前部のやや左寄りに形成されており、第２の接続部２５ｄは第１の接続部２５ｃの四角孔に嵌合する突起形状で玩具本体２１の後部のやや左寄りに形成されている。このため、第１の接続部２５ｃと第２の接続部２５ｄとを係合させることで、図６に示すように、接続型玩具を前後に並列に接続することができるように形成されている。
【００４６】
また、第３の接続部２５ｅと第４の接続部２５ｆとは互いに係合可能な形状で形成されている。具体的には、第３の接続部２５ｅは四角孔形状で玩具本体２１の一側のやや後寄りに形成されており、第４の接続部２５ｆは第３の接続部２４ｅの四角孔に嵌合する突起形状で玩具本体２１の他側のやや後寄りに形成されている。このため、第３の接続部２５ｅと第４の接続部２５ｆとを係合させることで、図７に示すように、接続型玩具を左右に並列に接続することができるように形成されている。
【００４７】
発車用スライド板２９は、玩具本体２１の内部において前後にスライド可能に配置されており、押出用バネ３１によって前方向に引っ張られている。この発車用スライド板２９の側部には被係止部２９ａが凹設されており、後述するスライド板係止フック３２を係止可能に形成されている。また、発車用スライド板２９の後部には押出部材３０を取り付けるための押出部材取付部２９ｂが上方に突出形成されている。この押出部材取付部２９ｂは、上ケース２２のスリット２２ａを貫通して上ケース２２の上方に突出するように設けられる。そして、この上方に突出した押出部材取付部２９ｂに押出部材３０を装着することで、発車用スライド板２９が摺動したときに、車玩具取付部２０ａの上を押出部材３０が滑動し、走行玩具１０を押し出すことができるように形成されている。
【００４８】
ガイド板２８は、上記した発車用スライド板２９などの摺動をガイドするための部材であり、発車用スライド板２９の下方に配置される。
【００４９】
スライド板係止フック３２は、発車用スライド板２９を押出用バネ３１の付勢力に反して後方に移動させた状態で維持させるための部材である。このスライド板係止フック３２は、回動軸部３２ａを中心に回動可能に取り付けられ、先端には鉤状の係止部３２ｂが設けられている。係止部３２ｂは、発車用スライド板２９の被係止部２９ａに係合するものである。このスライド板係止フック３２は、発車用スライド板２９の方向に回動するようにフック用バネ３３によって付勢されている。このため、発車用スライド板２９を所定の位置まで後方に移動させたときに、フック用バネ３３の付勢力によって被係止部２９ａと係止部３２ｂとが係合し、発車用スライド板２９が後方で待機した状態となるようになっている（図５参照）。
【００５０】
このように、発車用スライド板２９を後方で待機させた状態で発車リンク２４が後方にスライドすると、スライドした発車リンク２４のフック押圧部２４ｂがスライド板係止フック３２の後端を押動し、スライド板係止フック３２が回動する。スライド板係止フック３２が回動すると、被係止部２９ａと係止部３２ｂとの係合が解除され、押出用バネ３１の付勢力によって発車用スライド板２９が前方に摺動し、押出部材３０によって走行玩具１０が発車されるように形成されている。
【００５１】
ところで、上記した発車リンク２４及び変形リンク２５は、図５等に示すように、それぞれ４方向に設けられた接続部が重ならないように前後または左右にずれて配置されている。そして、これらの接続部を他の接続型玩具２０に接続することで、図８に示すように、前後左右に接続型玩具２０を並列させることができるように形成されている。このとき、発車リンク２４及び変形リンク２５がそれぞれ連結されているため、発車リンク２４及び変形リンク２５がスライドしたときに接続部を介して他の接続型玩具２０との間で動力を伝達できるようになっている。すなわち、任意の接続型玩具２０の発車リンク２４をスライドさせればすべての接続型玩具２０の発車リンク２４が連動してスライドするようになっている。また、任意の接続型玩具２０の変形リンク２５をスライドさせればすべての接続型玩具２０の変形リンク２５が連動してスライドするようになっている。
【００５２】
例えば、図９に示すように、４つの接続型玩具２０を前後左右に接続し、それぞれの接続型玩具２０に走行玩具１０を装着した状態において、任意の接続型玩具２０の変形操作部２０ｃを操作（すなわち変形操作部材３５を押下）すると、当該接続型玩具２０の変形リンク２５がスライドし、当該接続型玩具２０に装着された走行玩具１０が立ち上がって変形する。このとき、他の接続型玩具２０の変形リンク２５も連動してスライドするため、他の接続型玩具２０に装着された走行玩具１０も同時に立ち上がって変形することとなる（図１０参照）。
【００５３】
そして、任意の接続型玩具２０の発車操作部２０ｂを操作（すなわち発車操作部材３４を押下）すると、当該接続型玩具２０の発車リンク２４がスライドし、当該接続型玩具２０の上にある走行玩具１０が発車される。このとき、他の接続型玩具２０の発車リンク２４も連動してスライドするため、他の接続型玩具２０の上にある走行玩具１０も同時に発車する。
【００５４】
このように、発車台タイプの接続型玩具２０を複数接続すれば、同時に走行玩具１０を変形させ、同時に走行玩具１０を発車することができる。
【００５５】
なお、発車台タイプの接続型玩具２０を複数接続する他にも、図１１や図１２に示すようにポップアップタイプの接続型玩具４０を接続してもよい。
【００５６】
ポップアップタイプの接続型玩具４０は、走行玩具１０を装着するための機構や、走行玩具１０を発車するための機構を備えておらず、玩具本体４１に対して回動可能に取り付けられた起立板４２が回動することで接続型玩具４０そのものが変形するものである。起立板４２はバネ（図示せず）により開き方向に付勢されているが、係合部（図示せず）が係合することでバネの付勢力に反して閉じた状態に保つことができるようになっている。
【００５７】
特に図示しないが、このポップアップタイプの接続型玩具４０も、発車台タイプの接続型玩具２０と同様の発車リンク及び変形リンクを玩具本体４１に内蔵している。ポップアップタイプの接続型玩具４０の変形リンクがスライドすると、図１２に示すように、係合部の係合が解除され、起立板４２がバネの付勢力によって開き方向に回動するように形成されている。ポップアップタイプの接続型玩具４０の変形リンクは、他の接続型玩具の変形リンクによってスライドさせられるか、変形操作部４３が押下操作されたときに、スライドするように形成されている。
【００５８】
なお、ポップアップタイプの接続型玩具４０も発車リンクを備えているが、この発車リンクは自身の作動に影響するものではなく、単なる中間接続部として機能するものである。すなわち、ポップアップタイプの接続型玩具４０に内蔵された発車リンクは、接続された他の接続型玩具の発車リンクによってスライドさせられるとともに、その動力を更に他の接続型玩具に伝達するためだけに存在する。
また、図１３〜１６に示すような回転台タイプの接続型玩具５０を使用してもよい。
【００５９】
回転台タイプの接続型玩具５０は、図１３に示すように、玩具本体５１の上面に走行玩具１０を走行させるための走路５０ａを形成したものであり、走路５０ａの突き当たりにスイッチ部材５９を設けている。
【００６０】
この回転台タイプの接続型玩具５０は以下の部材を備えている。すなわち、図１４に示すように、方形薄板状の玩具本体５１を形成する上ケース５２及び下ケース５３と、玩具本体５１の上面に回転可能に取り付けられた回転台５４と、回転台５４を回転させるためのゼンマイ機構５７と、ゼンマイ機構５７の回転力を回転台５４に伝達するための中間ギア５８と、押圧されたときにゼンマイ機構５７の作動契機となるスイッチ部材５９と、スイッチ部材５９を付勢するスイッチ用バネ６２と、玩具本体５１の内部に前後にスライド可能に配置される複数のリンク部材（発車リンク５５及び変形リンク５６）と、発車リンク５５を付勢する発射リンク用バネ６０と、変形リンク５６を付勢する変形リンク用バネ６１と、走行玩具１０に当接して走行玩具１０を後方から押し出すための押出部材６６と、支持軸６５を介して押出部材６６を回動可能に支持する支持部材６４と、支持部材６４が取り付けられる発車用スライド部材６３と、発車用スライド部材６３を付勢する押出用バネ６７と、発車用スライド部材６３を引っ掛けて押出用バネ６７を張設状態とするための係止ピン６９を取り付けた係止部材６８と、係止部材６８を付勢する係止用バネ７０と、を備えている。
【００６１】
上ケース５２及び下ケース５３は、上下に接合されることで玩具本体５１を形成するものである。上ケース５２の上面には、回転台５４が収容される円形の孔が形成されている。下ケース５３の上面には、回転台５４が所定の位置まで回転したときに係止部材６８に当接するように形成された係止部材当接部５３ａが突出形成されている。
【００６２】
回転台５４は、円盤状の部材であり、上面に走行玩具１０を乗せた状態で回転できるように、走行玩具１０の全長よりもやや大きい直径で形成されている。この回転台５４の外周縁には外周ギア部５４ａが形成されている。また、回転台５４の上部には、支持部材６４の脚部を摺動可能に貫通させるためのスリット５４ｂが形成されている。
【００６３】
ゼンマイ機構５７は、玩具本体５１に固定される周知のゼンマイ装置である。このゼンマイ機構５７は、外部に突出したギア５７ａが外力によって所定の方向に回転させられることで回転力を蓄積するとともに、外力がなくなったときには、蓄積した回転力によってギア５７ａを逆方向に回転させるものである。このゼンマイ機構５７のギア５７ａは、中間ギア５８によって回転台５４の外周ギア部５４ａと接続されている。このため、回転台５４を所定の方向に回転させたときに回転力が蓄積され、回転台５４を離したときに逆方向に回転台５４を回転させる力が働くように形成されている。
【００６４】
スイッチ部材５９は、玩具本体５１に対して前後に移動可能と取り付けられた部材である。このスイッチ部材５９は、スイッチ用バネ６２によって後方に付勢されており、付勢されることで回転台５４の前端部と係合可能に形成されている。具体的には、回転台５４を図１３に示す位置まで回転させてゼンマイ機構５７のゼンマイを巻いたときに、スイッチ部材５９が回転台５４と係合するようになっており、ゼンマイに抗して回転台５４が戻り方向に回転しないように形成されている。この状態でスイッチ部材５９が前方に押圧されると、スイッチ部材５９と回転台５４との係合が解除され、ゼンマイ機構５７の回転力によって回転台５４が回転するように形成されている。なお、スイッチ部材５９の上部には、手動でスイッチ部材５９を操作するための摘み５９ａが設けられている。
【００６５】
発車リンク５５は、玩具本体５１の内部において前後にスライド可能に配置されており、発射リンク用バネ６０によって前方向に付勢されている。この発車リンク５５は、他の接続型玩具と接続するための接続部を備えている。本実施形態においては、玩具本体５１の前部において外部に露出した接続部５５ａを備えている。これにより、前方に他の接続型玩具を並列に接続することができるように形成されている。
【００６６】
変形リンク５６は、玩具本体５１の内部において前後にスライド可能に配置されており、変形リンク用バネ６１によって前方向に付勢されている。この変形リンク５６は、他の接続型玩具と接続するための接続部を備えている。本実施形態においては、玩具本体５１の前部において外部に露出した接続部５６ａを備えている。これにより、前方に他の接続型玩具を並列に接続することができるように形成されている。
【００６７】
発車用スライド部材６３は、回転台５４の裏側にスライド可能に取り付けられており、押出用バネ６７によって前方向に付勢されている。この発車用スライド部材６３の側部には被係止部６３ａが凹設されており、後述する係止ピン６９を係止可能に形成されている。
【００６８】
支持部材６４は、上記した発車用スライド部材６３の後部に取り付けられる部材である。上記したように、この支持部材６４の脚部は回転台５４のスリット５４ｂを貫通しており、これにより、支持部材６４はスリット５４ｂに沿って前後に摺動可能となっている。この支持部材６４の上部には支持軸６５が取り付けられており、この支持軸６５には押出部材６６が回動可能に取り付けられている。押出部材６６は、付勢部材により常時付勢されており、通常時においては上方に向けて起立するとともに、後方から力が加えられたときには回動して水平方向に倒れ込むように形成されている。このように押出部材６６が回動して倒れることにより、走行玩具１０が回転台５４の上に進入してきたときに、走行玩具１０の進入を妨げないようになっている。そして、走行玩具１０が回転台５４の上に移動した後においては、押出部材６６が走行玩具１０の後方で起立するようになっており、発車用スライド部材６３が摺動したときに、前方向に摺動した押出部材６６が走行玩具１０を押し出すことができるように形成されている。
【００６９】
係止部材６８は、発車用スライド部材６３を押出用バネ６７の付勢力に反して後方に移動させた状態で維持させるための部材であり、回転台５４の裏側にスライド可能に取り付けられている。この係止部材６８には係止ピン６９が立設固定されており、この係止ピン６９が発車用スライド部材６３の被係止部６３ａと係合する方向に係止用バネ７０によって付勢されている。このため、発車用スライド部材６３を所定の位置まで後方に移動させると、係止ピン６９が発車用スライド部材６３の被係止部６３ａと係合し、発車用スライド部材６３が後方で待機した状態となるように形成されている。
【００７０】
このように、発車用スライド部材６３を後方で待機させた状態で回転台５４が回転すると、回転台５４が所定の位置まで回転したときに下ケース５３の係止部材当接部５３ａに係止部材６８が当接する。これにより、係止部材６８が係止用バネ７０の付勢力に反して移動し、係止ピン６９と被係止部６３ａとの係合が解除される。すると、押出用バネ６７の付勢力によって発車用スライド部材６３が摺動し、押出部材６６によって走行玩具１０が発車されるように形成されている。
【００７１】
なお、特に図示しないが、回転台５４の裏側には発車リンク５５及び変形リンク５６と当接する当接部が形成されており、回転台５４が回転したときに発車リンク５５及び変形リンク５６が順次引動される。例えば、回転台５４がゼンマイ機構５７の回転力によって図１３に示す位置から約４５度回転したときに変形リンク５６が引動され、回転台５４がゼンマイ機構５７の回転力によって図１３に示す位置から約９０度回転したときに発車リンク５５が引動されるように形成されている。このように、ゼンマイ機構５７が作動すると、発車リンク５５及び変形リンク５６を介して前方に接続された他の接続型玩具に動力が伝達されるようになっている。
【００７２】
このような回転台タイプの接続型玩具５０を使用すれば、図１５に示すように、接続型玩具を離して配置した場合でも連動させて遊ぶことができる。
【００７３】
この例では、まず手前の接続型玩具Ａに装着された走行玩具Ｂを起立変形させて発車する。すると、図１６に示すように、発車された走行玩具Ｂは、回転台タイプの接続型玩具５０の回転台５４に進入し、スイッチ部材５９を押圧する。これにより、走行玩具Ｂを載置した回転台５４が回転を開始する。
【００７４】
回転台５４が所定角度（例えば約４５度）回転すると、変形リンク５６が引動され、奥の接続型玩具Ｃに装着された走行玩具Ｄが起立変形する。
【００７５】
更に回転台５４が回転すると（例えば約９０度回転すると）、係止ピン６９と被係止部６３ａとの係合が解除されて走行玩具Ｂが発車される。同時に、発車リンク５５が引動され、奥の接続型玩具Ｃの上にある走行玩具Ｄが発車される。
【００７６】
このように、回転台タイプの接続型玩具５０を使用すれば、玩具を離して配置した場合であっても、順次変形と発車が行われるので、興趣に富んだ玩具を提供することができる。
【００７７】
以上説明したように、本実施形態によれば、接続型玩具は、接続部を介して他の玩具と並列に接続可能であるとともに、リンク部材がスライドしたときに接続部を介して前記他の玩具との間で動力を伝達可能であるので、方形薄板状の玩具本体を縦や横に並列に並べて接続できるとともに、接続用のリンク部材が動力伝達も兼ねているため、リンク部材を使用して複数の接続型玩具を連動させることもできる。このように、複数の接続型玩具を組み合せて遊ぶことができるので、遊びのバリエーションを大幅に広げることができる。
【００７８】
なお、リンク部材によって実現される動作を接続型玩具の種類によって異なるように設定してもよい。複数の動作を行う接続型玩具を組み合わせれば、接続型玩具の組み合わせ方によって全体の挙動を変えることができる。しかも、このように組み合わせた接続型玩具が連動するため、更に興趣に富んだ玩具を提供することができる。
また、前記接続部を複数設けることで、接続型玩具を前後方向や左右方向に接続することができる。
【００７９】
また、前記リンク部材をスライドさせるための操作部を備えるようにすれば、複数の接続型玩具を接続した場合において、任意の接続型玩具の操作部を操作すれば、これに連動してすべての接続型玩具のリンク部材がスライドし、すべての接続型玩具を作動させることができるので、使用者に新規な印象を与えることができる。
【００８０】
また、前記リンク部材をスライドさせるためのゼンマイ機構を備えるようにすれば、複数の接続型玩具を接続した場合において、ゼンマイ機構によるリンク部材のスライドをトリガとして、すべての接続型玩具のリンク部材をスライドさせ、すべての接続型玩具を作動させることができるので、使用者に新規な印象を与えることができる。
【００８１】
また、前記玩具本体の上面に走行玩具を走行させるための走路を形成するとともに、この走路の突き当たりにスイッチ部材を設け、このスイッチ部材が押されたときに前記ゼンマイ機構が作動するようにすれば、接続型玩具を直接的に接続せずに離して配置した場合でも、走行玩具を介して動力の伝達を行うことができる。また、走行玩具が衝突したときの力ではリンク部材を確実にスライドできないことも考えられるが、ゼンマイ機構を使用しているため、確実にリンク部材をスライドさせることができる。
【００８２】
また、前記リンク部材を複数備えているので、１つのリンク部材を玩具変形に使用し、他のリンク部材を走行玩具の発車に使用でき、玩具の仕掛けを多様化することで遊びの幅を広げることができる。
【符号の説明】
【００８３】
１０  走行玩具
１１  板部材
１２  天板部
１３  車輪
２０  接続型玩具（発車台タイプ）
２０ａ  車玩具取付部
２０ｂ  発車操作部（操作部）
２０ｃ  変形操作部（操作部）
２１  玩具本体
２２  上ケース
２２ａ  スリット
２２ｂ  孔
２２ｃ  発車操作部材配置部
２２ｄ  変形操作部材配置部
２３  下ケース
２４  発車リンク（リンク部材）
２４ａ  傾斜突起
２４ｂ  フック押圧部
２４ｃ  第１の接続部
２４ｄ  第２の接続部
２４ｅ  第３の接続部
２４ｆ  第４の接続部
２５  変形リンク（リンク部材）
２５ａ  傾斜突起
２５ｂ  係合突起
２５ｃ  第１の接続部
２５ｄ  第２の接続部
２５ｅ  第３の接続部
２５ｆ  第４の接続部
２６  発射リンク用バネ
２７  変形リンク用バネ
２８  ガイド板
２９  発車用スライド板
２９ａ  被係止部
２９ｂ  押出部材取付部
３０  押出部材
３１  押出用バネ
３２  スライド板係止フック
３２ａ  回動軸部
３２ｂ  係止部
３３  フック用バネ
３４  発車操作部材
３４ａ  回動軸
３４ｂ  突起
３５  変形操作部材
３５ａ  回動軸
３５ｂ  突起
４０  接続型玩具（ポップアップタイプ）
４１  玩具本体
４２  起立板
４３  変形操作部（操作部）
５０  接続型玩具（回転台タイプ）
５０ａ  走路
５１  玩具本体
５２  上ケース
５３  下ケース
５３ａ  係止部材当接部
５４  回転台
５４ａ  外周ギア部
５４ｂ  スリット
５５  発車リンク（リンク部材）
５５ａ  接続部
５６  変形リンク（リンク部材）
５６ａ  接続部
５７  ゼンマイ機構
５７ａ  ギア
５８  中間ギア
５９  スイッチ部材
５９ａ  摘み
６０  発射リンク用バネ
６１  変形リンク用バネ
６２  スイッチ用バネ
６３  発車用スライド部材
６３ａ  被係止部
６４  支持部材
６５  支持軸
６６  押出部材
６７  押出用バネ
６８  係止部材
６９  係止ピン
７０  係止用バネ
【図１】
0003182532.tif 000003
【図２】
0003182532.tif 000004
【図３】
0003182532.tif 000005
【図４】
0003182532.tif 000006
【図５】
0003182532.tif 000007
【図６】
0003182532.tif 000008
【図７】
0003182532.tif 000009
【図８】
0003182532.tif 000010
【図９】
0003182532.tif 000011
【図１０】
0003182532.tif 000012
【図１１】
0003182532.tif 000013
【図１２】
0003182532.tif 000014
【図１３】
0003182532.tif 000015
【図１４】
0003182532.tif 000016
【図１５】
0003182532.tif 000017
【図１６】
0003182532.tif 000018